(57)【要約】【課題】二重に制御信号が発生した場合であっても誤動作を防止することを可能とする。【解決手段】ＨＤＭＩインタフェース１８は、外部に設けられた他のＡＶ機器から送信された第１の制御信号を受信（入力）する。制御信号情報記憶処理部１９１は、ＨＤＭＩインタフェース１８によって第１の制御信号が受信された受信時刻を記憶部に記憶する。受付停止期間設定処理部１９２は、記憶部に記憶された受信時刻から予め定められた期間、利用者の操作に応じて発生する第２の制御信号の受付を停止する。【選択図】      図１
2009088906.tif 000002
【特許請求の範囲】
【請求項１】
外部から送信された第１の制御信号を受信する受信手段と、
前記第１の制御信号が受信された受信時刻を記憶する記憶手段と、
前記記憶手段に記憶された受信時刻から予め定められた期間、利用者の操作に応じて発生する第２の制御信号の受付を停止する受付停止手段と
を具備することを特徴とする情報処理装置。
【請求項２】
前記受付停止手段によって第２の制御信号の受付が停止された場合、当該第２の制御信号の受付が停止された旨を前記利用者に対して通知する通知手段を更に具備することを特徴とする請求項１記載の情報処理装置。
【請求項３】
前記受信された第１の制御信号に応じて、前記予め定められた期間を変更する変更手段を更に具備することを特徴とする請求項１記載の情報処理装置。
【請求項４】
前記予め定められた期間を、前記利用者によって指定された期間に変更する変更手段を更に具備することを特徴とする請求項１記載の情報処理装置。
【請求項５】
前記第１の制御信号は、他の情報処理装置から送信されており、
前記受付停止手段は、前記受付が停止された第２の制御信号の内容を前記他の情報処理装置に表示させる
ことを特徴とする請求項１記載の情報処理装置。
【発明の詳細な説明】
【技術分野】
【０００１】
本発明は、ＨＤＭＩ−ＣＥＣ接続された情報処理装置に関する。
【背景技術】
【０００２】
近年、例えば複数のＡＶ（Audio Visual）機器（情報処理装置）をＨＤＭＩ（High-Definition Multimedia Interface）−ＣＥＣ（Consumer Electronics Control）接続することで、当該複数のＡＶ機器を相互に制御することが知られている。このＨＤＭＩ−ＣＥＣとは、ＨＤＭＩで規格化されている機器制御信号と制御プロトコルで、当該ＨＤＭＩ−ＣＥＣ接続された各ＡＶ機器間を相互に制御するためのコントロール機能である。
【０００３】
例えば複数（２台）のＡＶ機器がＨＤＭＩ−ＣＥＣ接続されている場合を想定する。ここでは、２台のＡＶ機器は、例えばＴＶとＤＶＤ（Digital Versatile Disk）再生機器であるものとする。ここで、例えば利用者（ユーザ）が、ＴＶに対して電源を入れる操作（例えばリモコンの電源ボタンを押す）を行った場合を想定する。この場合には、ＴＶとＤＶＤ再生機器はＨＤＭＩ−ＣＥＣ接続されているため、ＤＶＤ再生機器に対して当該ＴＶから電源を入れるための制御信号である電源信号（電源起動信号）が送信されることにより、利用者は、ＴＶを操作することでＤＶＤ再生機器の電源を入れることができる。
【０００４】
また、利用者がＤＶＤ再生機器に対する操作（例えば、再生・停止・早送り・巻き戻し等）をＴＶに対して要求すると、当該ＴＶからＤＶＤ再生機器に対して当該操作内容を実行させるための制御信号が送信される。このため、利用者は、ＴＶを操作することでＤＶＤ再生機器に対する操作を行うことが可能となる。
【０００５】
ところで、上記したようなＨＤＭＩ−ＣＥＣ接続された複数のＡＶ機器（ここでは、ＴＶとＤＶＤ再生機器）においては、例えばＴＶからＤＶＤ再生機器に対して送信された制御信号と、ＤＶＤ再生機器のリモコンまたは本体を操作することによって発生する制御信号とが、ほぼ同時にＤＶＤ再生機器によって受信される場合がある。この場合には、ＤＶＤ再生機器が、利用者にとって意図しない動作となる場合がある。
【０００６】
具体的には、例えばＴＶが待機状態にある場合において、ＴＶに対して利用者が電源を入れ、当該ＴＶの起動処理を経てから、ＤＶＤ再生機器（ＣＥＣ接続機器）に対して制御信号（電源信号）が送信されると、当該ＤＶＤ再生機器では起動処理が行われる。このＤＶＤ再生機器の起動処理期間に、例えば他の利用者（または、同一の利用者）が当該ＤＶＤ再生機器のリモコン（本体）を操作して電源を入れた場合には、当該ＤＶＤ再生機器では、わずかな時間差で電源信号が２回受信されることになる。これにより、ＤＶＤ再生機器では、電源投入後、すぐに待機状態に戻ってしまうという動作となる。
【０００７】
そこで、例えば二重に信号が入力される状態が発生した場合であっても、システムを構成する各電子機器の誤動作を防止する技術（以下、先行技術と表記）が開示されている（例えば、特許文献１を参照）。この先行技術によれば、所定の基準時間が経過する前に、バスを介して信号を受信した場合、バスを介して受信した信号が直接受信したリモコン信号と同一（の種類）の信号であるとき、バスを介して受信した信号を実質的に無視するようにすることで電子機器の誤動作を防止する。
【特許文献１】特開平７−２５０３８６号公報
【発明の開示】
【発明が解決しようとする課題】
【０００８】
上記したように、先行技術においては、二重に制御信号が発生した場合、当該制御信号が同一（の種類）の制御信号である場合には、一方を無視、つまり、受け付けないことで誤動作を防止することができる。
【０００９】
しかしながら、上記した先行技術では、例えばＤＶＤ再生機器のリモコンを操作することによって発生した制御信号を受け付けないことで二重に発生した制御信号による誤動作を防止することは可能であるが、当該操作を行った利用者は、当該ＤＶＤ再生機器とＨＤＭＩ−ＣＥＣ接続されたＴＶから制御信号が送信されているために当該利用者の操作が受け付けられないということを認識することはできない。
【００１０】
また、上記した先行技術では、ＴＶ及びＤＶＤ再生機器から当該ＤＶＤ再生機器に対して二重に制御信号が発生した場合に、両方の制御信号が受け付けられてしまう場合がある。例えばＴＶからＤＶＤ再生機器に対して送信された制御信号と、ＤＶＤ再生機器のリモコンを操作することにより発生した例えば制御信号とが、ほぼ同時に当該ＤＶＤ再生機器によって受信された場合であって、これらの制御信号が同一でない場合には、上記した先行技術では、ＤＶＤ再生機器において両方の制御信号に応じた処理が実行されることとなる。
【００１１】
具体的には、例えばＴＶ及びＤＶＤ再生機器が両機種とも動作状態である場合において、利用者の操作に応じてＴＶからＤＶＤ再生機器に対して送信された制御信号が「早送り」あり、一方、ＤＶＤ再生機器のリモコンを操作することにより発生した制御信号が「巻き戻し」であるような場合が挙げられる。
【００１２】
このような場合には、二重に発生した制御信号は同一の制御信号でないため、上記した先行技術においては、両方の制御信号が実行される。これにより、ＤＶＤ再生機器において、例えば早送り動作から急に巻き戻し動作となる、または、巻き戻し動作から急に早送り動作となるといった利用者の意図しない動作となる場合がある。
【００１３】
本発明の目的は、二重に制御信号が発生した場合であっても誤動作を防止することが可能な情報処理装置を提供することにある。
【課題を解決するための手段】
【００１４】
本発明の１つの態様によれば、外部から送信された第１の制御信号を受信する受信手段と、前記第１の制御信号が受信された受信時刻を記憶する記憶手段と、前記記憶手段に記憶された受信時刻から予め定められた期間、利用者の操作に応じて発生する第２の制御信号の受付を停止する受付停止手段とを具備する情報処理装置が提供される。
【発明の効果】
【００１５】
本発明によれば、二重に制御信号が発生した場合であっても誤動作を防止することが可能となる。
【発明を実施するための最良の形態】
【００１６】
以下、図面を参照して、本発明の実施形態について説明する。
【００１７】
図１は、本発明の実施形態に係る情報処理装置であるＡＶ（Audio Visual）機器のハードウェア構成を示すブロック図である。なお、図１では、ＡＶ機器の一例としてＤＶＤ（Digital Versatile Disk）再生機器１０のハードウェア構成を示す。また、本実施形態に係るＡＶ機器としては、例えばＡＶアンプまたはＴＶ等であっても構わない。
【００１８】
図１に示すように、ＤＶＤ再生機器１０は、ディスク１１、メインプロセッサー（以下、メインＣＰＵと表記）１２、通電管理部１３、電源１４、本体キー１５、リモコン受信部１６、本体表示部１７、ＨＤＭＩインタフェース１８及びサブプロセッサー（以下、サブＣＰＵと表記）１９を含む。
【００１９】
図１に示すＤＶＤ再生機器１０は、例えばＤＶＤのようなディスク１１に格納（記憶）されている映像データ等を再生する機器であり、例えばＴＶのような他のＡＶ機器（他の情報処理装置）とＨＤＭＩ（High-Definition Multimedia Interface）−ＣＥＣ（Consumer Electronics Control）接続されている。このように複数のＡＶ機器（例えばＤＶＤ再生機器１０及びＴＶ）が互いにＨＤＭＩ−ＣＥＣ接続（以下、単にＣＥＣ接続と表記）されている場合、例えばこの複数のＡＶ機器がそれぞれ別の部屋等に配置されているような場合であっても、双方向で制御可能となる。
【００２０】
また、ＤＶＤ再生機器１０は、例えば当該ＤＶＤ再生機器１０の動作状態の遷移を示す情報をＨＤＭＩのＡＶリンク経由のコンテンツに付加することで、例えば当該ＤＶＤ再生機器１０とＣＥＣ接続されている他のＡＶ機器を利用する利用者に対して当該ＤＶＤ再生機器１０の動作状態の遷移を通知する機能（以下、動作状態通知機能と表記）を有する。
【００２１】
メインＣＰＵ１２は、ＤＶＤ再生機器１０における再生処理を実行する。また、メインＣＰＵ１２は、ＨＤＭＩインタフェース１８内のＡＶ接続を制御する。通電管理部１３は、メインＣＰＵ１２及び電源１４との間に設けられており、メインＣＰＵ１２のような各ブロックに対して通電する処理を行う。
【００２２】
本体キー１５は、例えばＤＶＤ再生機器１０の利用者によって操作されることにより、当該ＤＶＤ再生機器１０に対する制御信号を発生する。また、リモコン受信部１６は、利用者によって操作されたリモコンから送信される制御信号を受信する。これらの制御信号により、例えば電源起動、再生、停止、早送りまたは巻き戻し等をＤＶＤ再生機器１０に対して実行させる。
【００２３】
本体表示部１７は、例えば本体キー１５またはリモコンを操作することによって発生した制御信号に基づくＤＶＤ再生機器１０の動作状態を表示する。
【００２４】
ＨＤＭＩインタフェース１８は、例えばＤＶＤ再生機器１０とＣＥＣ接続されている他のＡＶ機器（ＣＥＣ機能付き機器）から送信される制御信号を受信（入力）する。この制御信号は、例えば利用者がＣＥＣ機能付き機器（例えば、ＴＶ等）を操作することにより、ＤＶＤ再生機器１０に送信される。
【００２５】
サブＣＰＵ１９は、例えば本体キー１５を操作することによって発生した制御信号を読み込む経路及びリモコン受信部１６によって受信された制御信号を読み込む経路を有する。また、サブＣＰＵ１９は、ＨＤＭＩインタフェース１８におけるＣＥＣ制御を実施する経路を有する。
【００２６】
サブＣＰＵ１９は、利用者により本体キー１５が操作されることによって発生した、例えば電源の入／切、再生／停止等の制御信号（コマンド）を受け付ける（受信する）。また、サブＣＰＵ１９は、利用者によりリモコンが操作されることによって発生した制御信号をリモコン受信部１６を介して受け付ける。また、サブＣＰＵ１９は、ＨＤＭＩインタフェース１８によって受信された制御信号を受け付ける。サブＣＰＵは、受け付けられた制御信号に基づいて、ＤＶＤ再生機器１０における各種処理を実行する。
【００２７】
ここで、例えばＤＶＤ再生機器１０の電源（コンセント）１４が入れられると、サブＣＰＵ１９に対して通電され、当該ＤＶＤ再生機器１０は待機状態となる。サブＣＰＵ１９は、ＤＶＤ再生機器１０が待機状態となると、例えば電源、ＤＶＤトレイ開閉等の制御信号を受付可能になる。ここで、例えば利用者が本体キー１５またはリモコンを操作することによってＤＶＤ再生機器１０の起動が選択されると、サブＣＰＵ１９は、例えば通電管理部１３を制御し、ＤＶＤ再生機器１０全体に通電を行うことで、当該ＤＶＤ再生機器１０において例えばＤＶＤ等の再生処理が可能となる。
【００２８】
サブＣＰＵ１９は、例えばＲＯＭ（図示せず）のような記憶部に記憶されているプログラムを実行することによって各種処理を実行する。このように、サブＣＰＵ１９がプログラムを実行することによって実現される機能には、制御信号情報記憶処理部１９１及び受付停止期間設定処理部１９２が含まれる。
【００２９】
制御信号情報記憶処理部１９１は、例えばＤＶＤ再生機器１０とＣＥＣ接続されたＡＶ機器（例えば、ＴＶ）から送信された制御信号（第１の制御信号）がＨＤＭＩインタフェース１８によって受信された受信時刻を例えば記憶部（図示せず）に記憶する処理を実行する。また、制御信号情報記憶処理部１９１は、受付停止期間（後述する）中に、例えば本体キー１５を操作することによって発生した制御信号またはリモコン受信部１６によって受信された制御信号の内容の履歴（受信履歴）を記憶する処理を実行する。
【００３０】
受付停止期間設定処理部１９２は、制御信号情報記憶処理部１９１によって記憶された受信時刻から予め定められた期間を、例えば本体キー１５を操作することによって発生した制御信号またはリモコン受信部１６によって受信された制御信号を受け付けない期間（受付停止期間）として設定する。また、受付停止期間設定処理部１９２は、例えばＤＶＤ再生機器１０とＣＥＣ接続されたＡＶ機器から送信された制御信号に応じて、受付停止期間を変更する。また、受付停止期間設定処理部１９２は、例えばＤＶＤ再生機器１０の利用者によって指定された期間に受付停止期間を変更する。
【００３１】
受付停止期間設定処理部１９２は、制御信号情報記憶処理部１９１によって記憶された受信時刻から受付停止期間中、本体キー１５を操作することによって発生した制御信号またはリモコン受信部１６によって受信された制御信号（第２の制御信号）の受付を停止する。
【００３２】
また、受付停止期間設定処理部１９２は、受付停止期間中に制御信号（本体キー１５を操作することによって発生した制御信号またはリモコン受信部１６によって受信された制御信号）が発生した場合、当該制御信号を受け付けない（受付が停止された）旨を、本体表示部１７を介して表示する。これにより、制御信号を受け付けない旨を、ＤＶＤ再生機器１０を利用する利用者に対して通知する。
【００３３】
また、受付停止期間設定処理部１９２は、制御信号情報記憶処理部１９１によって記憶された受信履歴（受付停止期間中に発生した制御信号の内容）を、ＨＤＭＩインタフェース１８を介してＤＶＤ再生機器１０とＣＥＣ接続された他のＡＶ機器に送信する。このとき、受付停止期間設定処理部１９２は、上記したＤＶＤ再生機器１０が有する動作状態通知機能を利用する。これにより、受付停止期間設定処理部１９２は、ＤＶＤ再生機器１０とＨＤＭＩ−ＣＥＣ接続された他のＡＶ機器において、受信履歴を表示させる。
【００３４】
これにより、例えばＤＶＤ再生機器１０とＣＥＣ接続された他のＡＶ機器を利用する利用者に対して、受付停止期間中に発生した制御信号（つまり、ＤＶＤ再生機器１０の本体キー１５またはリモコンに対する操作）の内容を通知する。
【００３５】
次に、図２のフローチャートを参照して、図１に示すＤＶＤ再生機器１０の処理手順について説明する。なお、上記したように、ＤＶＤ再生機器１０は、例えばＴＶのような他のＡＶ機器とＣＥＣ接続されているものとする。以下、ＤＶＤ再生機器１０とＣＥＣ接続されている他のＡＶ機器は、ＴＶであるものとして説明する。
【００３６】
まず、例えばＤＶＤ再生機器１０とＴＶの間で、互いにＨＤＭＩ−ＣＥＣ接続認証が行われる（ステップＳ１）。これにより、例えばＤＶＤ再生機器１０及びＴＶ間で、双方向に制御が可能となる。
【００３７】
次に、ＤＶＤ再生機器１０に含まれるＨＤＭＩインタフェース１８は、例えばＴＶを利用する利用者によって当該ＴＶが操作されることによって発生したＤＶＤ再生機器１０に対する第１の制御信号（以下、制御信号Ａと表記）を受信（入力）する（ステップＳ２）。この制御信号Ａが受信されると、ＤＶＤ再生機器１０では、当該制御信号Ａに基づく制御処理（例えば、電源起動処理等）が実行される。
【００３８】
制御信号情報記憶処理部１９１は、ＨＤＭＩインタフェース１８によって制御信号Ａが受信された受信時刻を記憶する処理を実行する（ステップＳ３）。なお、この制御信号情報記憶処理部１９１は、上記したようにＤＶＤ再生機器１０に含まれるサブＣＰＵ１９によって例えばＲＯＭ等に格納されているプログラムが実行されることによって実現される。
【００３９】
また、受付停止期間設定処理部１９２は、ＨＤＭＩインタフェース１８によって受信された制御信号Ａに応じて、受付停止期間を設定（変更）する（ステップＳ４）。
【００４０】
ここで、例えばＤＶＤ再生機器１０とＣＥＣ接続されたＴＶから送信された制御信号Ａが電源の起動を制御するための電源信号である場合を想定する。また、ＤＶＤ再生機器１０は、このとき待機状態であるものとする。この場合、ＤＶＤ再生機器１０が制御信号Ａ（電源信号）を受信し、待機状態から動作状態に遷移する時間（遷移時間）が１５秒であるものとすると、例えば予め定められた受付停止期間が１５秒以下（例えば、１０秒）である場合には、上記したようにＤＶＤ再生機器１０は動作状態通知機能を有するにもかかわらず、例えば受付停止期間経過後であって遷移時間終了前にＤＶＤ再生機器１０の本体キー１５またはリモコンを操作することによって制御信号が発生した場合には当該制御信号による動作状態の遷移を通知することはできない。このため、例えば遷移時間が１５秒であるような制御信号（電源信号）である場合には、受付停止期間は遷移時間以上（例えば、２０秒）に変更される。また、例えば制御信号Ａが「再生一時停止」信号である場合には、例えばＴＶを利用する利用者の一時的な退席、電話応対等の目的が考えられるため、例えばＤＶＤ再生機器１０の本体キー１５またはリモコンからの再生一時停止状態の解除を防ぐため、受付停止期間は例えば１分に変更される。このように、制御信号Ａ（に基づく処理に要する時間）に応じて、受付停止期間が変更される。
【００４１】
一方、受付停止期間設定処理部１９２は、制御信号Ａに基づく遷移時間が例えば予め設定された受付停止期間（例えば、１０秒）以下である場合には、当該受付停止期間は変更されず、例えば一律の１０秒が受付停止期間として設定される。
【００４２】
なお、受付停止期間設定処理部１９２は、制御信号情報記憶処理部１９１と同様に、上記したようにＤＶＤ再生機器１０に含まれるサブＣＰＵ１９によって例えばＲＯＭ等に格納されているプログラムが実行されることによって実現される。
【００４３】
次に、サブＣＰＵ１９は、例えば本体キー１５を利用者が操作することによって発生した（またはリモコンを利用者が操作することによって発生した）第２の制御信号（以下、制御信号Ｂと表記）を受信（入力）する（ステップＳ５）。なお、例えばリモコンが操作されることによって発生した制御信号Ｂは、リモコン受信部１６によって受信される。
【００４４】
受付停止期間設定処理部１９２は、制御信号Ｂが受信された時刻が、制御信号情報記憶処理部１９１によって記憶された受信時刻（制御信号Ａが受信された時刻）から受付停止期間を経過しているか否かを判定する（ステップＳ６）。
【００４５】
受付停止期間を経過していないと判定された場合（ステップＳ６のＮＯ）、つまり、受付停止期間中に制御信号Ｂが受信された場合、当該制御信号Ｂの受付は停止される。よって、ＤＶＤ再生機器１０においては、受信された制御信号Ｂに基づく制御処理は実行されない。
【００４６】
受付停止期間設定処理部１９２は、受信された制御信号Ｂを受け付けない旨を本体表示部１７を介して表示する（ステップＳ７）。これにより、制御信号Ｂを受け付けない旨が、例えばＤＶＤ再生機器１０の利用者に対して通知される。
【００４７】
制御信号情報記憶処理部１９１は、受付停止期間中に受信された制御信号Ｂの受信履歴を記憶する処理を行う（ステップＳ８）。なお、受付停止期間中に複数の制御信号Ｂが受信された場合には、それらの制御信号の受信履歴が時系列的に記憶される。
【００４８】
受付停止期間設定処理部１９２は、受付停止期間経過後に、制御信号情報記憶処理部１９１によって記憶された受信履歴（つまり、受付停止期間中のＤＶＤ再生機器１０に対する操作内容）を、ＨＤＭＩインタフェース１８を介してＴＶに送信する。これにより、受付停止期間中に発生した制御信号Ｂの内容（操作内容）が、例えばＴＶに表示されることにより当該ＴＶの利用者に通知される（ステップＳ９）。また、受付停止期間中に複数の制御信号Ｂが発生した場合には、その受信履歴は時系列的にＴＶに表示される。
【００４９】
一方、ステップＳ６において受付停止期間を経過していると判定された場合、ＤＶＤ再生機器１０では、受信された制御信号Ｂを受け付ける。これにより、制御信号Ｂに基づく制御処理が実行される。
【００５０】
なお、ステップＳ４において、受付停止期間設定処理部１９２によって制御信号Ａに応じて自動的に受付停止期間が変更されるものとして説明したが、例えばＤＶＤ再生機器１０の利用者の操作に応じて、当該利用者によって指定された期間に受付停止期間が変更される構成であっても構わない。
【００５１】
また、ステップＳ９において、受付停止期間経過後に受信履歴が表示されるものとして説明したが、制御信号Ｂが受信される都度、ＴＶを利用する利用者に対して通知される構成であってもよい。
【００５２】
次に、図３及び図４を参照して、本実施形態に係るＤＶＤ再生機器１０の動作について具体的に説明する。
【００５３】
図３は、例えばＤＶＤ再生機器１０が用いられる際の当該ＤＶＤ再生機器１０を含む複数のＡＶ機器の配置例を示す。図３に示すように、ＤＶＤ再生機器１０は、部屋Ａに配置されているものとする。このＤＶＤ再生機器１０は、例えばリモコン１００を用いて操作可能である。ＤＶＤ再生機器１０は、部屋Ａに配置されているＴＶ（ＡＶ機器）２０とアナログＡＶ接続されている。
【００５４】
また、ＤＶＤ再生機器１０は、部屋Ａとは別部屋である部屋Ｂに配置されているＴＶ（ＡＶ機器）３０とＣＥＣ接続されている。これにより、例えばＴＶ３０の利用者は、当該ＴＶ３０を操作することで、部屋Ａに行かなくても当該部屋Ａに配置されているＤＶＤ再生機器１０を操作（制御）することが可能となる。
【００５５】
ＴＶ３０は、例えばリモコン３００を用いて操作可能である。なお、ＴＶ３０は、例えば利用者によってリモコン３００が操作されることにより当該ＴＶ３０が動作状態から待機状態に遷移（以下、第１の状態遷移と表記）した場合、当該動作状態時に選択されていた入力経路を記憶しておき、次回の待機状態から動作状態への遷移（以下、第２の状態遷移と表記）時に当該記憶されている入力経路を選択するラストメモリー機能を有する。例えば第１の状態遷移時に例えばＤＶＤ再生機器１０によって再生された映像を利用者がＴＶ３０を介して見ていた場合を想定する。この場合、第１の状態遷移によりＤＶＤ再生機器１０が待機状態となった後、例えば利用者がリモコン３００を操作することによってＴＶ３０が起動される（第２の状態遷移）と、上記したラストメモリー機能により第１の状態遷移時の動作状態にするため、例えば当該ＴＶ３０からＤＶＤ再生機器１０に対して電源信号（制御信号）が送信される。
【００５６】
ここで、上記したようにＴＶ３０からＤＶＤ再生機器１０に対して電源信号が送信された場合であっても、例えば当該ＴＶ３０の利用者が上記したラストメモリー機能が有効であるかが不明な場合（つまり、ＴＶ３０から、ＤＶＤ再生機器１０に対して電源信号が送信されたかが不明な場合）には、ＴＶ３０が配置されている部屋ＢからＤＶＤ再生機器１０が配置されている部屋Ａに移動して、当該ＤＶＤ再生機器１０の本体キー１５（または、リモコン１００）を操作することによって電源を入れる場合がある。また、ＴＶ３０からＤＶＤ再生機器１０に対して電源信号が送信された場合であっても、その旨を知らないＴＶ３０の利用者とは異なる他の利用者が、アナログ接続されているＴＶ２０を用いて当該ＤＶＤ再生機器１０に対する起動操作を行う場合もある。このような場合には、ＤＶＤ再生機器１０においては二重に電源信号が受信される。
【００５７】
ここで、図４は、ＤＶＤ再生機器１０において、例えば利用者がリモコン３００を操作することによって起動されたＴＶ３０から送信された電源信号（制御信号Ａ）が及びＤＶＤ再生機器１０の本体キー１５（または、リモコン１００）を操作することによって発生した制御信号（制御信号Ｂ）が二重に受信される際の時刻の流れを示す。
【００５８】
図４に示す例では、ＤＶＤ再生機器１０は、例えばＴＶ３０から送信された制御信号Ａ（ＣＥＣ制御信号）を時刻Ａに受信したものとする（ステップＳ１１）。
【００５９】
このとき、ＤＶＤ再生機器１０は、受信された制御信号Ａを受け付ける（ステップＳ１２）。これにより、ＤＶＤ再生機器１０では、受け付けられた制御信号Ａに基づいて制御処理（例えば、起動処理）が実行される。
【００６０】
ＤＶＤ再生機器１０では、制御信号Ａが受信された受信時刻（時刻Ａ）が記憶される。ＤＶＤ再生機器１０において制御信号Ａが受信された時刻Ａが記憶されると、例えば当該制御信号Ａに基づいて受付停止期間が設定（変更）される（ステップＳ１３）。このとき、受付停止期間は、例えばＤＶＤ再生機器１０において受信された制御信号Ａの種類が電源信号である場合には、例えば予め定められた受付停止期間（例えば、１０秒）を２０秒に変更する。図４に示す例では、時刻Ａから時刻Ｃが受付停止期間（２０秒）であるものとする。
【００６１】
次に、ＤＶＤ再生機器１０は、例えば利用者が当該ＤＶＤ再生機器１０の本体キー１５（または、リモコン１００）を操作することによって発生した制御信号Ｂ（本体制御信号）を例えば時刻Ｂに受信したものとする（ステップＳ１４）。
【００６２】
ここで、制御信号Ｂが受信された時刻Ｂは、上記したステップＳＳ１３において設定された受付停止期間（つまり、時刻Ｃ）を経過していない。つまり、制御信号Ｂは、受付停止期間中に受信されている。この場合には、ＤＶＤ再生機器１０は、制御信号Ｂを受け付けない（制御信号Ｂの受付が停止される）。これにより、ＤＶＤ再生機器１０においては、制御信号Ｂに基づく制御処理は実行されない。
【００６３】
なお、制御信号Ａ及び制御信号Ｂは、同一（の種類）の信号である必要はない。つまり、例えば制御信号Ａが電源信号であり、制御信号Ｂが電源信号である場合（つまり、制御信号Ａ及び制御信号Ｂが同一の信号）、当該制御信号Ｂの受信時刻が受付停止期間中であれば、当該制御信号ＢはＤＶＤ再生機器１０において受け付けられない。また、例えば制御信号Ａが早送り信号であり、制御信号Ｂが巻き戻し信号である場合（つまり、制御信号Ａ及び制御信号Ｂが異なる信号）であっても、同様に、制御信号Ｂの受信時刻が受付停止期間中であれば、当該制御信号ＢはＤＶＤ再生機器１０において受け付けられない。
【００６４】
また、上記したように例えばＤＶＤ再生機器１０において受付停止期間中に制御信号Ｂが受信された場合には、当該制御信号Ｂが受け付けられない旨が例えばＤＶＤ再生機器１０の本体表示部１７に表示される。これにより、ＤＶＤ再生機器１０の利用者に対して制御信号Ｂが受け付けられない旨が通知される。
【００６５】
また、ＤＶＤ再生機器１０において制御信号Ｂが受け付けられない場合には、当該制御信号Ｂの受信履歴が記憶され、当該受信履歴は受付停止期間経過後に例えばＴＶ３０に表示される。このとき、ＤＶＤ再生機器１０が有する動作状態通知機能が利用される。これにより、受付停止期間中における例えばＤＶＤ再生機器１０の本体キー１５（または、リモコン１００）に対する操作内容（つまり、制御信号Ｂの内容）が、ＴＶ３０の利用者に対して通知される。
【００６６】
一方、ＤＶＤ再生機器１０は、例えば利用者が当該ＤＶＤ再生機器１０の本体キー１５（または、リモコン１００）を操作することによって発生した制御信号Ｂを例えば時刻Ｄに受信したものとする（ステップＳ１５）。
【００６７】
ここで、制御信号Ｂが受信された時刻Ｄは、受付停止期間（つまり、時刻Ｃ）経過後である。この場合、ＤＶＤ再生機器１０は、制御信号Ｂを受け付ける（ステップＳ１６）。これにより、ＤＶＤ再生機器１０では、制御信号Ｂに基づいて制御処理が実行される。
【００６８】
上記したように本実施形態においては、ＣＥＣ接続されたＴＶ３０からの制御開始（つまり、当該ＴＶ３０から送信された制御信号Ａの受信）から予め定められた受付停止期間、例えばＤＶＤ再生機器１０の本体キー１５（または、リモコン１００）を操作することによって発生した制御信号Ｂの受付を停止する。つまり、例えば受付停止期間が１０秒であった場合には、制御信号Ａを受信した受信時刻から１０秒間は、制御信号Ｂの受付が停止される。これにより、例えばＤＶＤ再生機器１０に対して二重に制御信号が発生した場合であっても誤動作を防止することが可能となる。
【００６９】
また、本実施形態においては、受付停止期間中に制御信号ＢがＤＶＤ再生機器１０によって受信された場合、当該制御信号Ｂを受け付けない旨を当該ＤＶＤ再生機器１０の利用者に対して通知する。これにより、ＤＶＤ再生機器１０を利用する利用者は、当該ＤＶＤ再生機器１０とＣＥＣ接続されたＴＶ３０から制御信号Ａが発生していることを確認することができため、制御信号Ｂが受け付けられないことを知らずに当該ＤＶＤ再生機器１０の本体キー１５（または、リモコン１００）を操作することを回避できる。
【００７０】
また、本実施形態においては、ＤＶＤ再生機器１０とＣＥＣ接続されたＴＶ３０から送信された制御信号Ａ（の種類）に基づいて、受付停止期間を変更することができる。これにより、上記したように当該ＤＶＤ再生機器１０の動作状態の遷移を例えばＴＶ３０の利用者に通知する機能（動作状態通知機能）を有効に利用することが可能となる。
【００７１】
また、本実施形態においては、例えばＤＶＤ再生機器１０の利用者が受付停止期間を指定することも可能である。これにより、ＤＶＤ再生機器１０において、例えば電源信号に基づく待機状態から動作状態の遷移時間が３０秒のように長時間の場合には、利用者は例えば受付停止期間を４０秒と指定することで、状況に応じた受付停止期間に変更することが可能となる。
【００７２】
また、本実施形態においては、例えばＤＶＤ再生機器１０の本体キー１５（または、リモコン１００）を操作することによって発生した制御信号Ｂが受付停止期間中にＤＶＤ再生機器１０において受信された場合、当該制御信号Ｂの内容（ＤＶＤ再生機器１０に対する受付停止期間中の操作内容）をＴＶ３０に表示することにより、当該操作内容が当該ＴＶ３０の利用者に対して通知される。これにより、例えばＴＶ３０の利用者は、受付停止期間中に受信された制御信号Ｂの内容（操作内容）を確認することができる。したがって、ＴＶ３０の利用者は、通知された操作内容を必要に応じて再度行うことができる。具体的には、例えばＣＥＣ接続されたＴＶ３０であっても、例えばＣＥＣ制御内容の全てを網羅していない場合がある。例えば２種類のコンテンツを再生し、一方のコンテンツの中に、他方のコンテンツを出す機能（Picture In picture）は、ＣＥＣ制御での規格に含まれていない。例えば受付停止期間中に、このような操作が行われている場合には、当該操作が行われた旨が例えば利用者に対して通知されるので、利用者は、当該操作を再度行うことができる。また、受付停止期間中に行われた操作は、例えば時系列的に表示されることで、利用者は、例えば受付停止期間終了直前の操作等を把握できるため、どの操作をすれば意図した動作となるか参考とすることができる。
【００７３】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。
【図面の簡単な説明】
【００７４】
【図１】本発明の実施形態に係るＤＶＤ再生機器１０のハードウェア構成を示すブロック図。
【図２】図１に示すＤＶＤ再生機器１０の処理手順を示すフローチャート。
【図３】ＤＶＤ再生機器１０を含む複数のＡＶ機器の配置例を示す図。
【図４】ＤＶＤ再生機器１０において、制御信号Ａ及び制御信号Ｂが二重に受信される際の時刻の流れを示す図。
【符号の説明】
【００７５】
１０…ＤＶＤ再生機器（情報処理装置）、１１…ディスク、１２…メインＣＰＵ、１３…通電管理部、１４…電源、１５…本体キー、１６…リモコン受信部、１７…本体表示部（通知手段）、１８…ＨＤＭＩインタフェース（受信手段）、１９…サブＣＰＵ、２０，３０…ＴＶ、１００，３００…リモコン、１９１…制御信号情報記憶処理部、１９２…受付停止期間設定処理部（受付停止手段）。
【図１】
2009088906.tif 000003
【図２】
2009088906.tif 000004
【図３】
2009088906.tif 000005
【図４】
2009088906.tif 000006